(57)【要約】【解決手段】隅桁１と中間桁２と中央桁３とを有する合成樹脂製パレットにおいて、下部デッキＤ２を形成する隅桁・中間桁下部連結桟部５と中間桁・中央桁下部連結桟部７とにより囲まれた下部開口部９の上方に位置する上部デッキＤ１に、前記下部開口部と同様の上部開口部８”を形成したものである。【効果】下部デッキに形成された下部開口部の上方に位置する上部デッキにも、上部開口部を形成したので、合成樹脂製パレットの重量を軽減することができる。【選択図】図１
2004217247.tif 000002
【特許請求の範囲】
【請求項１】
隅桁と中間桁と中央桁とを有する合成樹脂製パレットにおいて、下部デッキを形成する隅桁・中間桁下部連結桟部と中間桁・中央桁下部連結桟部とにより囲まれた下部開口部の上方に位置する上部デッキに、前記下部開口部と同様の上部開口部が形成されていることを特徴とする合成樹脂製パレット。
【請求項２】
上部デッキに形成された上部開口部が、額縁状枠部内に形成されていることを特徴とする請求項１に記載の合成樹脂製パレット。
【請求項３】
額縁状枠部に、上部開口部に向かって下方に傾斜した傾斜部が形成されていることを特徴とする請求項１又は請求項２に記載の合成樹脂製パレット。
【請求項４】
額縁状枠部内に配設された枠内リブの下端が、上部開口部から遠ざかるにしたがって、下方に傾斜して形成されていることを特徴とする請求項１〜請求項３のいずれか１項に記載の合成樹脂製パレット。
【請求項５】
額縁状枠部内に形成された枠内リブのピッチが、額縁状枠部の周囲に配置されている連結桟部の交差桟のピッチより狭く形成されていることを特徴とする請求項１〜請求項４のいずれか１項に記載の合成樹脂製パレット。
【発明の詳細な説明】
【０００１】
【発明の属する技術分野】
本発明は、物品の運搬、移送、保管等に使用される合成樹脂製パレットに関するものである。
【０００２】
【従来の技術】
従来、軽量化のために、上部デッキを、隅桁と中間桁との間及び中間桁と中央桁との間を連結する、縦横に交差する桟からなる桟部と、該桟部以外の部分を、同様に、縦横に交差する桟からなる桟部で構成するとともに、下部デッキを、隅桁と中間桁との間及び中間桁と中央桁との間を連結する同様の桟部で構成した合成樹脂製パレットが知られている（例えば、特許第２７３４０７７号公報）。
【０００３】
【発明が解決しようとする課題】
従来より、軽量化のために種々の試みがなされているが、軽量化のために、上部デッキや下部デッキの桟部を構成する縦横に交差する桟の間隔を更に拡げると、強度や剛性が低下するという問題がある。また、上部デッキに部分的に開口部を形成すると、強度や剛性が低下するとともに、荷物を、上部デッキ上をスライドさせた際に、荷物が開口部の縁部に引っ掛かったり、荷物が損傷するという問題がある。
【０００４】
本発明の目的は、上述した従来の合成樹脂製パレットが有する課題を解決することにある。
【０００５】
【課題を解決するための手段】
本発明は、上述した目的を達成するために、隅桁と中間桁と中央桁とを有する合成樹脂製パレットにおいて、第１には、下部デッキを形成する隅桁・中間桁下部連結桟部と中間桁・中央桁下部連結桟部とにより囲まれた下部開口部の上方に位置する上部デッキに、前記下部開口部と同様の上部開口部を形成したものであり、第２には、上部デッキに形成された上部開口部を、額縁状枠部内に形成したものであり、第３には、額縁状枠部に、上部開口部に向かって下方に傾斜した傾斜部を形成したものであり、第４には、額縁状枠部内に配設された枠内リブの下端を、上部開口部から遠ざかるにしたがって、下方に傾斜させたものであり、第４には、額縁状枠部内に形成された枠内リブのピッチを、額縁状枠部の周囲に配置されている連結桟部の交差桟のピッチより狭くしたものである。
【０００６】
【実施例】
以下に、図１〜図６を用いて、本発明の実施例について説明するが、本発明の趣旨を越えない限り何ら、本実施例に限定されるものではない。
【０００７】
合成樹脂製パレットは、合成樹脂製パレットの四隅に配置された略角筒状の隅桁１と、隅桁１の中間部に配置された略角筒状の中間桁２と、合成樹脂製パレットの中央部に配置された略角筒状の中央桁３とを有している。
【０００８】
隅桁１の上端部と中間桁２の上端部とは、隅桁・中間桁上部連結桟部４により連結されており、また、隅桁１の下端部と中間桁２の下端部とは、隅桁・中間桁下部連結桟部５により連結されている。更に、中間桁２の上端部と中央桁３の上端部とは、中間桁・中央桁上部連結桟部６により連結されており、また、中間桁２の下端部と中央桁３の下端部とは、中間桁・中央桁下部連結桟部７により連結されている。
【０００９】
隅桁１の天部１’及び底部１”は、平面形状が方形状や略Ｌ字状の適当数の板状部１ａを有しており、また、隅桁１内には、外側角部１ｂと内側角部１ｃとを連結するとともに、天部１’及び底部１”まで達する対角板１ｄが形成されている。中間桁２の天部２’及び底部２”も、平面形状が長方形状の適当数の板状部２ａを有しているとともに、中間桁２内には、天部２’及び底部２”まで達する適当数の仕切板２ｂが形成されている。中央桁３の天部３’及び底部３”も、平面形状が方形状や略Ｌ字状の適当数の板状部３ａを有しており、また、中央桁３内には、中央桁３の対角に位置する角部３ｂ方向に延在する対角板３ｃが形成されている。なお、隅桁１の天部１’及び底部１”を構成する板状部１ａには、軽量化や水抜きように、適宜、透孔１ａ１を穿設することができ、また同様に、中間桁２の天部２’及び底部２”を構成する板状部２ａにも、軽量化や水抜きように、適宜、透孔２ａ１を穿設することができ、更に同様に、中央桁３の天部３’及び底部３”を構成する板状部３ａにも、軽量化や水抜きように、適宜、透孔３ａ１を穿設することができる。
【００１０】
隣り合うとともに互いに直交する２本の隅桁・中間桁上部連結桟部４と、隣り合うとともに互いに直交する略直交する２本の中間桁・中央桁上部連結桟部６とにより囲まれた領域内には、隅桁１の内側角部１ｃの上端部と、隅桁１の内側角部１ｃに対して対角位置にある中央桁３の角部３ｂの上端部と、中間桁部２の互いに対角位置にある内側角部２ｃの上端部とを連結する額縁状枠部８が形成されている。また、隣り合うとともに互いに直交する２本の隅桁・中間桁下部連結桟部５と、隣り合うとともに互いに直交する２本の中間桁・中央桁下部連結桟部７とにより囲まれた領域には、下部開口部９が形成されている。なお、隅桁１と中間桁２との間及び中間桁２と中央桁３との間には、フォークが挿入可能なフォーク挿入空間部１０が形成されている。
【００１１】
隅桁１の天部１’、中間桁２の天部２’、中央桁３の天部３’、隅桁・中間桁上部連結桟部４、中間桁・中央桁上部連結桟部６及び額縁状枠部８により、物品が載置される上部デッキＤ１が構成されており、また、隅桁１の底部１”、中間桁２の底部２”、中央桁３の底部３”、隅桁・中間桁下部連結桟部５及び中間桁・中央桁下部連結桟部７により、床等に載置される下部デッキＤ２が構成されている。
【００１２】
額縁状枠部８は、長手方向に対して垂直な断面形状が、略逆Ｕ字状の４本の枠材８’で形成されているとともに、４本の枠材８’で囲まれた開口部８”を有している。額縁状枠部８は、水平部８ａと、水平部８ａの開口部８”側に位置する縁部から下方に向かって傾斜した傾斜部８ｂと、開口部８”に対して反対側に位置する水平部８ａの縁部から、水平部８ａに対して略垂直に垂下された垂直部８ｃとを有している。傾斜部８ｂは、図３や図４や図６に示されているように、長手方向に対して垂直な断面形状が、円弧状の傾斜部８ｂであっても、或いは、平坦な傾斜面を有する傾斜部８ｂであってもよい。
【００１３】
額縁状枠部８を構成する傾斜部８ｂの下端８ｂ１は、垂直部８ｃの下端８ｃ１より上方に位置している。略逆Ｕ字状の額縁状枠部８内には、額縁状枠部８の内壁に連接された板状の枠内リブ８ｄが、長手方向に対して略垂直に、所定の間隔を置いて配設されている。枠内リブ８ｄの下端８ｄ１は、垂直部８ｃの下端８ｃ１と傾斜部８ｂの下端８ｂ１とを結ぶ直線に一致するように形成されており、従って、枠内リブ８ｄの下端８ｄ１は、垂直部８ｃの下端８ｃ１から傾斜部８ｂの下端８ｂ１に向かって、上方に傾斜している。換言すれば、枠内リブ８ｄの下端８ｄ１が、開口部８”から遠ざかるにしたがって、下方に傾斜していることになる。
【００１４】
額縁状枠部８の周囲に配置されている隅桁・中間桁上部連結桟部４は、隅桁１と中間桁２とを連結する連結桟４ａと、該連結桟４ａに直交する交差桟４ｂとから構成されており、同様に、額縁状枠部８の周囲に配置されている中間桁・中央桁上部連結桟部６も、中間桁２と中央桁３とを連結する連結桟６ａと、該連結桟６ａに直交する交差桟６ｂとから構成されている。
【００１５】
上述した額縁状枠部８内に形成された枠内リブ８ｄのピッチ（隣り合う枠内リブ８ｄの中心間距離）は、額縁状枠部８の周囲に配置されている隅桁・中間桁上部連結桟部４の交差桟４ｂのピッチ（隣り合う交差桟４ｂの中心間距離）及び額縁状枠部８の周囲に配置されている中間桁・中央桁上部連結桟部６の交差桟６ｂのピッチ（隣り合う交差桟６ｂの中心間距離）より、狭く形成されている。
【００１６】
上部デッキＤ１に形成された額縁状枠部８内に形成された開口部８”は、下部デッキＤ２に形成された下部開口部９の真上に位置しているとともに、額縁状枠部８の開口部８”の面積は、下部開口部９の面積の略４０〜略９０％とすることが好ましい。額縁状枠部８の開口部８”の面積が、下部開口部９の面積に対して、略４０％より小さいと、額縁状枠部８内に開口部８”を形成した合成樹脂製パレットの軽量化の目的が損なわれることになり、また、額縁状枠部８の開口部８”の面積が、下部開口部９の面積に対して、略９０％より大きいと、上部デッキＤ１、ひいては、合成樹脂製パレットの強度や剛性や耐久性が低下し、実用上、使用に耐えられないことになる。
【００１７】
上述したように、下部デッキＤ２に形成された下部開口部９の上方に位置する上部デッキＤ１にも、開口部（上部開口部）８”を形成したので、合成樹脂製パレットの重量を軽減することができる。
【００１８】
また、上部デッキＤ１に形成された開口部（上部開口部）８”が、額縁状枠部８内に形成されているので、上部デッキＤ１に開口部８”を形成したことによる上部デッキＤ１、ひいては、合成樹脂製パレットの強度や剛性の低下を抑制することができる。
【００１９】
更に、上部デッキＤ１を構成する額縁状枠部８に、開口部（上部開口部）８”に向かって下方に傾斜した傾斜部８ｂを形成したので、上部デッキＤ１に載置された荷物をスライドさせた際に、荷物が、傾斜部８ｂに当接しても、荷物が、傾斜部８ｂに沿って、上部デッキＤ１に容易に載置されるとともに、荷物が、傾斜部８ｂに当接しても損傷するようなことがない。
【００２０】
更にまた、額縁状枠部８内に配設された枠内リブ８ｄの下端８ｄ１が、開口部８”から遠ざかるにしたがって、下方に傾斜しているので、枠内リブ８ｄに、フォーク挿入空間部１０に挿入されたフォークの先端が当接しても、開口部８”から遠ざかるにしたがって、下方に傾斜している枠内リブ８ｄの下端８ｄ１に誘導されて、フォークがフォーク挿入空間部１０に戻るように矯正することができる。
【００２１】
なお更に、額縁状枠部８内に形成された枠内リブ８ｄのピッチを、額縁状枠部８の周囲に配置されている隅桁・中間桁上部連結桟部４の交差桟４ｂのピッチや額縁状枠部８の周囲に配置されている中間桁・中央桁上部連結桟部６の交差桟６ｂのピッチより、狭く形成したことにより、開口部８”を有する額縁状枠部８を形成したことによる上部デッキＤ１、ひいては、合成樹脂製パレットの強度や剛性の低下を抑制することができる。
【００２２】
【発明の効果】
本発明は、以上説明した構成を有しているので、以下に記載する効果を奏するものである。
【００２３】
下部デッキに形成された下部開口部の上方に位置する上部デッキにも、上部開口部を形成したので、合成樹脂製パレットの重量を軽減することができる。
【００２４】
上部デッキに形成された上部開口部が、額縁状枠部内に形成されているので、上部デッキに上部開口部を形成したことによる上部デッキ、ひいては、合成樹脂製パレットの強度や剛性の低下を抑制することができる。
【００２５】
上部デッキを構成する額縁状枠部に、上部開口部に向かって下方に傾斜した傾斜部を形成したので、上部デッキに載置された荷物をスライドさせた際に、荷物が、傾斜部に当接しても、荷物を、傾斜部に沿って上部デッキに容易に載置することができるとともに、荷物が、傾斜部に当接しても損傷するようなことがない。
【００２６】
額縁状枠部内に配設された枠内リブの下端が、上部開口部から遠ざかるにしたがって、下方に傾斜しているので、枠内リブに、フォーク挿入空間部に挿入されたフォークの先端が当接しても、上部開口部から遠ざかるにしたがって、下方に傾斜している枠内リブの下端に誘導されて、フォークがフォーク挿入空間部に戻るように矯正される。
【００２７】
額縁状枠部内に形成された枠内リブのピッチを、額縁状枠部の周囲に配置されている連結桟部の交差桟のピッチより狭くしたので、上部開口部を形成したことによる上部デッキ、ひいては、合成樹脂製パレットの強度や剛性の低下を抑制することができる。
【図面の簡単な説明】
【図１】図１は本発明の合成樹脂製パレットの斜視図である。
【図２】図２は本発明の合成樹脂製パレットの裏面斜視図である。
【図３】図３は本発明の合成樹脂製パレットの部分斜視図である。
【図４】図４は本発明の合成樹脂製パレットの部分裏面斜視図である。
【図５】図５は本発明の合成樹脂製パレットの部分裏面図である。
【図６】図６は本発明の合成樹脂製パレットを構成する額縁状枠部の部分垂直断面図である。
【符号の説明】
Ｄ１・・・・・・・・・・・・上部デッキ
Ｄ２・・・・・・・・・・・・下部デッキ
１・・・・・・・・・・・・・隅桁
２・・・・・・・・・・・・・中間桁
３・・・・・・・・・・・・・中央桁
４・・・・・・・・・・・・・隅桁・中間桁上部連結桟部
４ａ・・・・・・・・・・・・連結桟
４ｂ・・・・・・・・・・・・交差桟
５・・・・・・・・・・・・・隅桁・中間桁下部連結桟部
５ａ・・・・・・・・・・・・連結桟
５ｂ・・・・・・・・・・・・交差桟
６・・・・・・・・・・・・・中間桁・中央桁上部連結桟部
７・・・・・・・・・・・・・中間桁・中央桁下部連結桟部
８・・・・・・・・・・・・・額縁状枠部
８”・・・・・・・・・・・・上部開口部
９・・・・・・・・・・・・・下部開口部
【図１】
2004217247.tif 000003
【図２】
2004217247.tif 000004
【図３】
2004217247.tif 000005
【図４】
2004217247.tif 000006
【図５】
2004217247.tif 000007
【図６】
2004217247.tif 000008